【手続補正書】
【提出日】平成30年4月23日(2018.4.23)
【手続補正１】
【補正対象書類名】特許請求の範囲
【補正対象項目名】全文
【補正方法】変更
【補正の内容】
【特許請求の範囲】
【請求項１】
複数の書類であって、前記書類における１以上の項目の情報が記載されている前記各書類の画像の画像データを取得する画像データ取得手段と、
前記複数の書類のうち１の書類と他の書類とを互いに照合するために、１つの表示手段において前記画像データに基づいた当該１の書類における１以上の項目の情報と、前記画像データに基づいた当該他の書類における１以上の項目の情報と、を出力させる出力手段と、
前記照合の結果を取得する照合結果取得手段と、
を備えたことを特徴とする情報処理装置。
【請求項２】
請求項１に記載の情報処理装置において、
前記画像データから、前記各項目に対応した項目画像データを特定する項目画像データ特定手段と、
前記照合の結果に応じて、端末装置に表示された項目画像データに対応した他の書類の項目の情報を、前記１の書類の項目の情報と関連付けて記憶する記憶手段と、
を更に備え、
前記出力手段が、前記１つの表示手段において前記１の書類における１以上の項目に対して前記他の書類における当該１以上の項目に対応した項目画像データを出力させることを特徴とする情報処理装置。
【請求項３】
請求項１または請求項２に記載の情報処理装置において、
前記項目に応じて照合の難易度のレベル分けがされ、
前記出力手段が、前記レベルに応じた前記項目画像データを出力することを特徴とする情報処理装置。
【請求項４】
請求項１から３のいずれか１項に記載の情報処理装置において、
前記出力された項目画像データに対応した他の書類の項目の情報が、前記他の書類におけるマークであることを特徴とする情報処理装置。
【請求項５】
請求項１から４のいずれか１項に記載の情報処理装置において、
前記出力手段が、前記表示手段において並べて表示できるように、前記１の書類の項目画像データと、前記他の書類の項目画像データとを、出力することを特徴とする情報処理装置。
【請求項６】
請求項１から５のいずれか１項に記載の情報処理装置において、
前記項目に対応した前記他の書類の項目画像データが複数ある場合、
前記出力手段が、当該他の書類の各項目画像データを前記表示手段において強調して表示させるために出力し、
前記照合結果取得手段が、前記照合の結果として、前記複数の項目画像データから選択された項目画像データの情報を取得することを特徴とする情報処理装置。
【請求項７】
画像データ取得手段が、複数の書類であって、前記書類における１以上の項目の情報が記載されている前記各書類の画像の画像データを取得する画像データ取得ステップと、
出力手段が、前記複数の書類のうち１の書類と他の書類とを互いに照合するために、１つの表示手段において前記画像データに基づいた当該１の書類における１以上の項目の情報と、前記画像データに基づいた当該他の書類における１以上の項目の情報と、を出力させる出力ステップと、
照合結果取得手段が、前記照合の結果を取得する照合結果取得ステップと、
を含むことを特徴とする情報処理方法。
【請求項８】
コンピュータを、
複数の書類であって、前記書類における１以上の項目の情報が記載されている前記各書類の画像の画像データを取得する画像データ取得手段、
前記複数の書類のうち１の書類と他の書類とを互いに照合するために、１つの表示手段において前記画像データに基づいた当該１の書類における１以上の項目の情報と、前記画像データに基づいた当該他の書類における１以上の項目の情報と、を出力させる出力手段、および、
前記照合の結果を取得する照合結果取得手段として機能させることを特徴とする情報処理装置用のプログラム。
【請求項９】
書類に関する書類情報を処理する情報処理装置と、照合を行う端末装置と、を備える書類管理システムにおいて、
前記情報処理装置が、複数の書類であって、前記書類における１以上の項目の情報が記載されている前記各書類の画像の画像データを取得する画像データ取得手段と、
前記複数の書類のうち前記画像データに基づいた１の書類の項目の情報と、前記画像データに基づいた前記他の書類における１以上の項目の情報とを、前記端末装置に送信する送信手段と、
前記端末装置から前記照合の結果を取得する照合結果取得手段と、
を有し、
前記端末装置が、前記複数の書類のうち１の書類と他の書類とを互いに照合するために、当該１の書類における１以上の項目の情報と、当該他の書類における１以上の項目の情報とを表示する表示手段と、
前記書類の１の書類と他の書類とを互いに照合した照合の結果を受け付ける入力手段と、
を有することを特徴とする書類管理システム。
【手続補正２】
【補正対象書類名】明細書
【補正対象項目名】０００１
【補正方法】変更
【補正の内容】
【０００１】
本発明は、書類の電子データを処理する情報処理装置、情報処理方法、情報処理装置用のプログラム、および、書類管理システムに関する。
【手続補正３】
【補正対象書類名】明細書
【補正対象項目名】０００６
【補正方法】変更
【補正の内容】
【０００６】
上記の課題を解決するために、請求項１に記載の発明は、複数の書類であって、前記書類における１以上の項目の情報が記載されている前記各書類の画像の画像データを取得する画像データ取得手段と、前記複数の書類のうち１の書類と他の書類とを互いに照合するために、１つの表示手段において前記画像データに基づいた当該１の書類における１以上の項目の情報と、前記画像データに基づいた当該他の書類における１以上の項目の情報と、を出力させる出力手段と、前記照合の結果を取得する照合結果取得手段と、を備えたことを特徴とする。また、請求項２に記載の発明は、請求項１に記載の情報処理装置において、前記画像データから、前記各項目に対応した項目画像データを特定する項目画像データ特定手段と、前記照合の結果に応じて、端末装置に表示された項目画像データに対応した他の書類の項目の情報を、前記１の書類の項目の情報と関連付けて記憶する記憶手段と、を更に備え、前記出力手段が、前記１つの表示手段において前記１の書類における１以上の項目に対して前記他の書類における当該１以上の項目に対応した項目画像データを出力させることを特徴とする。
【手続補正４】
【補正対象書類名】明細書
【補正対象項目名】０００７
【補正方法】変更
【補正の内容】
【０００７】
また、請求項３に記載の発明は、請求項１または請求項２に記載の情報処理装置において、前記項目に応じて照合の難易度のレベル分けがされ、前記出力手段が、前記レベルに応じた前記項目画像データを出力することを特徴とする。
【手続補正５】
【補正対象書類名】明細書
【補正対象項目名】０００８
【補正方法】変更
【補正の内容】
【０００８】
また、請求項４に記載の発明は、請求項１から３のいずれか１項に記載の情報処理装置において、前記出力された項目画像データに対応した他の書類の項目の情報が、前記他の書類におけるマークであることを特徴とする。
【手続補正６】
【補正対象書類名】明細書
【補正対象項目名】０００９
【補正方法】変更
【補正の内容】
【０００９】
また、請求項５に記載の発明は、請求項１から４のいずれか１項に記載の情報処理装置において、前記出力手段が、前記表示手段において並べて表示できるように、前記１の書類の項目画像データと、前記他の書類の項目画像データとを、出力することを特徴とする。
【手続補正７】
【補正対象書類名】明細書
【補正対象項目名】００１０
【補正方法】変更
【補正の内容】
【００１０】
また、請求項６に記載の発明は、請求項１から５のいずれか１項に記載の情報処理装置において、前記項目に対応した前記他の書類の項目画像データが複数ある場合、前記出力手段が、当該他の書類の各項目画像データを前記表示手段において強調して表示させるために出力し、前記照合結果取得手段が、前記照合の結果として、前記複数の項目画像データから選択された項目画像データの情報を取得することを特徴とする。
【手続補正８】
【補正対象書類名】明細書
【補正対象項目名】００１１
【補正方法】変更
【補正の内容】
【００１１】
また、請求項７に記載の発明は、画像データ取得手段が、複数の書類であって、前記書類における１以上の項目の情報が記載されている前記各書類の画像の画像データを取得する画像データ取得ステップと、出力手段が、前記複数の書類のうち１の書類と他の書類とを互いに照合するために、１つの表示手段において前記画像データに基づいた当該１の書類における１以上の項目の情報と、前記画像データに基づいた当該他の書類における１以上の項目の情報と、を出力させる出力ステップと、照合結果取得手段が、前記照合の結果を取得する照合結果取得ステップと、を含むことを特徴とする。
【手続補正９】
【補正対象書類名】明細書
【補正対象項目名】００１２
【補正方法】変更
【補正の内容】
【００１２】
また、請求項８に記載の発明は、コンピュータを、複数の書類であって、前記書類における１以上の項目の情報が記載されている前記各書類の画像の画像データを取得する画像データ取得手段、前記複数の書類のうち１の書類と他の書類とを互いに照合するために、１つの表示手段において前記画像データに基づいた当該１の書類における１以上の項目の情報と、前記画像データに基づいた当該他の書類における１以上の項目の情報と、を出力させる出力手段、および、前記照合の結果を取得する照合結果取得手段として機能させることを特徴とする。
【手続補正１０】
【補正対象書類名】明細書
【補正対象項目名】００１３
【補正方法】変更
【補正の内容】
【００１３】
また、請求項９に記載の発明は、書類に関する書類情報を処理する情報処理装置と、照合を行う端末装置と、を備える書類管理システムにおいて、前記情報処理装置が、複数の書類であって、前記書類における１以上の項目の情報が記載されている前記各書類の画像の画像データを取得する画像データ取得手段と、前記複数の書類のうち前記画像データに基づいた１の書類の項目の情報と、前記画像データに基づいた前記他の書類における１以上の項目の情報とを、前記端末装置に送信する送信手段と、前記端末装置から前記照合の結果を取得する照合結果取得手段と、を有し、前記端末装置が、前記複数の書類のうち１の書類と他の書類とを互いに照合するために、当該１の書類における１以上の項目の情報と、当該他の書類における１以上の項目の情報とを表示する表示手段と、前記書類の１の書類と他の書類とを互いに照合した照合の結果を受け付ける入力手段と、を有することを特徴とする。
【手続補正１１】
【補正対象書類名】明細書
【補正対象項目名】００１４
【補正方法】変更
【補正の内容】
【００１４】
本発明によれば、複数の書類のうち１の書類と他の書類とを互いに照合するために、１つの表示手段において前記画像データに基づいた当該１の書類における１以上の項目の情報と、前記画像データに基づいた当該他の書類における１以上の項目の情報とを出力させ、照合の結果の入力を取得することにより、１つの表示手段において項目を照合し、容易に確認できるので、作業の生産性の向上を図ることができる。
【手続補正１２】
【補正対象書類名】明細書
【補正対象項目名】発明の名称
【補正方法】変更
【補正の内容】
【発明の名称】情報処理装置、情報処理方法、情報処理装置用のプログラム、および、書類管理システム